(57)【要約】【課題】本発明は、画像読取装置本体に表示手段及び操作手段を備えながら、装置全体を小型化するとともに、使い勝手と操作性に優れた画像読取装置を提供する。【解決手段】本画像読取装置は、原稿が給紙され搬送されると共に給紙トレイ２から略平面状に形成された原稿搬送路１０と、原稿搬送路１０を搬送中の原稿の画像を読取る画像読取部１５，１６と、原稿の画像を表示可能な液晶表示装置４と、画像読取装置を制御するスキャナ制御回路基板１８とを備え、原稿搬送路１０は、液晶表示装置４とスキャナ制御回路基板１８との間を平面状に通過する経路を有する。【選択図】図２
2011182473.tif 000002
【特許請求の範囲】
【請求項１】
原稿を積載するための原稿積載部と、
前記原稿積載部に積載された原稿を一枚ずつ給紙して搬送する給紙搬送手段と、
原稿が給紙され搬送されると共に前記原稿積載部から略平面状に形成された原稿搬送路と、
前記給紙搬送手段により前記原稿搬送路を搬送中の原稿の画像を読取る画像読取手段と、
少なくとも読取った原稿の画像を表示可能な表示手段と、
前記画像読取装置を駆動する機能及び前記画像読取装置を制御する機能のうちの少なくとも１つを有する回路基板とを備え、
前記原稿搬送路は、前記表示手段と前記回路基板との間を平面状に通過する経路を有することを特徴とする画像読取装置。
【請求項２】
前記表示手段が設けられる上部フレームと、前記上部フレームを支持する下部フレームとを更に有し、
前記経路は、前記上部フレームと前記下部フレームとの間で挟まれた経路であることを特徴とする請求項１記載の画像読取装置。
【請求項３】
前記表示手段が固定される上部フレームと、前記上部フレームを支持する下部フレームとを更に有し、
前記経路は、前記上部フレームと前記下部フレームとの間で挟まれた経路であることを特徴とする請求項１記載の画像読取装置。
【請求項４】
前記画像読取手段は、前記表示手段と前記回路基板との間に設けられると共に前記経路を挟むように複数配置され、前記経路上を搬送される原稿の両面の画像を読取ることを特徴とする請求項１乃至３のいずれか１項に記載の画像読取装置。
【請求項５】
前記原稿積載部は、画像読取装置本体に収納可能に設けられていることを特徴とする請求項１乃至４のいずれか１項に記載の画像読取装置。
【請求項６】
画像読取装置本体に電気的に接地され、前記表示手段の背面側を覆う導電性部材を更に備えることを特徴とする請求項１乃至５のいずれか１項に記載の画像読取装置。
【請求項７】
前記原稿積載部は画像読取装置本体の上方に配置され、前記経路は前記画像読取装置本体の奥側上方から手前側下方へ傾斜して略平面状に形成されていることを特徴とする請求項１乃至６のいずれか１項に記載の画像読取装置。
【請求項８】
前記表示手段は、読取った原稿の画像及び操作画面を表示可能であり、動作指示の入力を行うためのタッチパネルを有することを特徴とする請求項１乃至７のいずれか１項に記載の画像読取装置。
【請求項９】
前記表示手段は、読取可能な原稿の最大横幅以上の表示幅の画面サイズを有し、読取られた画像を等倍で表示可能であることを特徴とする請求項８記載の画像読取装置。
【発明の詳細な説明】
【技術分野】
【０００１】
本発明は、シート状の原稿を搬送しながら原稿に形成されている画像を読取る原稿搬送方式の画像読取装置に関し、特に、読取画像の表示が可能な表示手段を備えた画像読取装置に関する。
【背景技術】
【０００２】
従来、シート状の原稿を搬送しながら原稿に形成されている画像を読取るようにした原稿搬送方式の画像読取装置は、例えば、図９又は図１０のように構成されていた。これらの装置は、いずれも原稿を給紙するための給紙装置と、給紙された原稿を搬送させながら原稿画像を読取る画像読取装置としてスキャナ装置本体１００（又は２００）と、スキャナ装置本体１００（又は２００）と独立又は一体に設けられ、読取った画像や各種設定画面を表示するための表示装置１０１（又は２０１）と、表示装置１０１に一体に設けられたタッチパネル等の操作部１０２やキーボード２０２等とで構成されている。
【０００３】
また、これらの装置には、図９に示すように、読取った画像を記録する記録装置１０３を備えたものや、ネットワークに直接接続して、読取った画像を送信することが可能なものがある。このような装置はパーソナルコンピュータ（以下、単に「ＰＣ」という。）を介さずに使用することが可能である。
【０００４】
さらに、装置の筐体内部には、ＰＣの機能の少なくとも一部を備えたマザーボードや、原稿の搬送や画像読取センサの駆動制御を行う回路基板等が収容されている。
【先行技術文献】
【特許文献】
【０００５】
【特許文献１】特開平１０−２８９３０７号公報
【特許文献２】特開２００４−３５６８２２号公報
【発明の概要】
【発明が解決しようとする課題】
【０００６】
しかしながら、上記従来例のような装置においては、ＰＣを介さずに使用出来るという利点があるにもかかわらず、装置内に読取った画像を明確に視認出来るような大きな画面の表示手段や、各種の操作・設定に必要なキーボード等の操作手段が必要である。そのため、装置全体が大型化したり、或いは装置本体とは別に表示装置やキーボード等の入力手段を接続したりしなければならず、きわめて使い勝手が悪く、装置の持運びにも不便である。
【０００７】
また、近年、装置の小型軽量化、低コスト化、デザイン上の自由度向上等の目的で多用されているプラスチック材料で形成された筐体は、金属筐体とは異なり、上記マザーボードや駆動制御用の電気回路基板から発生する放射ノイズを遮蔽・低減する機能は乏しい。そのため、マザーボードや駆動制御用の回路基板から発生する放射ノイズを遮蔽・低減するためには、板金等で構成されるシールド部材を別途取付ける必要があり、コストが高くなっている。
【０００８】
本発明の目的は、上記問題に鑑みて成されたものであり、画像読取装置本体に表示手段及び操作手段を備えながら、装置全体を小型化するとともに、使い勝手と操作性に優れた画像読取装置を提供することにある。
【０００９】
また、本発明の目的は、装置本体内の電気回路基板から発生する放射ノイズを効率的に、しかも低コストで低減することの出来る画像読取装置を提供することにある。
【課題を解決するための手段】
【００１０】
上記目的を達成するために、本発明の画像読取装置は、原稿を積載するための原稿積載部と、前記原稿積載部に積載された原稿を一枚ずつ給紙して搬送する給紙搬送手段と、原稿が給紙され搬送されると共に前記原稿積載部から略平面状に形成された原稿搬送路と、前記給紙搬送手段により前記原稿搬送路を搬送中の原稿の画像を読取る画像読取手段と、少なくとも読取った原稿の画像を表示可能な表示手段と、前記画像読取装置を駆動する機能及び前記画像読取装置を制御する機能のうちの少なくとも１つを有する回路基板とを備え、前記原稿搬送路は、前記表示手段と前記回路基板との間を平面状に通過する経路を有することを特徴とする。
【発明の効果】
【００１１】
本発明によれば、部品や搬送路の効率的な構成配置により、装置全体を小型化するとともに、使い勝手と操作性を向上することが出来る。また、装置内の電気回路基板から発生する放射ノイズを効率的に、しかも低コストで低減することが出来る。
【図面の簡単な説明】
【００１２】
【図１】本発明の実施形態に係る画像読取装置の外観斜視図である。
【図２】本発明の第１の実施の形態に係る画像読取装置の概略構成を示す縦断面図である。
【図３】図２の画像読取装置の回路構成を示すブロック図である。
【図４】液晶表示装置４の構成を示す分解斜視図である。
【図５】本発明の第２の実施形態に係る画像読取装置の概略構成を示す縦断面図である。
【図６】本発明の第３の実施形態に係る画像読取装置の概略構成を示す縦断面図である。
【図７】図６の画像読取装置の回路構成を示すブロック図である。
【図８】本発明の第４の実施形態に係る画像読取装置の概略構成を示す縦断面図である。
【図９】従来の画像読取装置の一例を示す外観斜視図である。
【図１０】従来の画像読取装置の他の一例を示す外観斜視図である。
【発明を実施するための形態】
【００１３】
以下、本発明の実施の形態を図面を参照して詳細に説明する。
【００１４】
図１は、本発明の実施形態に係る画像読取装置の外観斜視図であり、図２は、本発明の第１の実施の形態に係る画像読取装置の概略構成を示す縦断面図である。
【００１５】
図１及び図２において、１は画像読取装置の本体（以下、「装置本体」という。）、２は装置本体の上方に配置され、装置本体１に収納可能で上方に引出された状態の給紙トレイ、３は原稿Ｐを挿入する給紙口である。原稿Ｐは、下端部を給紙口３に挿入した状態で給紙トレイ２に表面を下向きにして積載される。
【００１６】
４は装置本体１の前面部に傾斜して配置された液晶表示装置（ＬＣＤ）であり、その上面には、動作指示の入力を行うためのタッチパネル５が配置されている。６及び７は原稿Ｐの左右方向を規制するための規制ガイド板で、給紙口３内を原稿幅に応じて左右方向に移動可能に取付けられている。
【００１７】
また、装置本体１は樹脂材料で成型された上部フレーム８と下部フレーム９を有している。装置本体１の内部には、液晶表示装置４と略平行の位置に、上部フレーム８と下部フレーム９に挟まれ、装置本体１の奥側上方から手前側下方へ傾斜して平面状に原稿搬送路１０が形成されている。なお、原稿搬送路１０は、多少の凹凸はあっても略平面状であればよい。
【００１８】
原稿搬送路１０上には、フィードローラ１１、リタードローラ１２、搬送ローラ対１３、及び排紙ローラ対１４がそれぞれ配設されている。また、搬送ローラ対１３と排紙ローラ対１４との間には、画像読取手段である密着型イメージセンサ等で構成される上側の画像読取部１５、下側の画像読取部１６がそれぞれ配設されている。また、画像読取部１５，１６は、原稿搬送路１０を挟むように配置され、原稿搬送路１０上を搬送される原稿Ｐの表面及び裏面の両面を略同時に読取ることができる。
【００１９】
１８は下部フレーム９に固定された装置本体１の各部の駆動用及び制御用のスキャナ制御回路基板である。１９はマザーボードであり、下部フレーム９の底部を覆う板金製のメインの筐体である底板２０に固定されている。２１は背面カバーである。
【００２０】
上記構成において、給紙トレイ２に裏向きにセットされた原稿Ｐはフィードローラ１１とリタードローラ１２によって一枚ずつ分離・給紙され、搬送ローラ対１３へ給送される。更に、原稿Ｐは、搬送ローラ対１３によって一定速度で画像読取部１５，１６へ搬送され、まず画像読取部１５により裏面の画像が読取られ、続いて画像読取部１６により表面の画像が読取られる。その後、原稿Ｐは、排紙ローラ対１４により排紙口２２から排紙される。２枚目以降の原稿Ｐに関しても、同様の動作がなされ、原稿Ｐは給紙トレイ２に積載されたときと同一の順序で排紙積載される。
【００２１】
画像読取部１５及び画像読取部１６が原稿Ｐの表裏面の画像を読取って出力した読取信号は、スキャナ制御回路基板１８によりＡＤ変換及び所定の画像処理が施され、画像データとしてマザーボード１９に転送される。そして、マザーボード１９上の画像表示／出力インターフェース回路（不図示）から液晶表示装置４に画像データが送信され、原稿Ｐの画像読取と略同時に原稿Ｐの画像を液晶表示装置４に表示することが可能である。また、液晶表示装置４は、読取モードの設定等の各種操作画面を表示することが可能であり、液晶表示装置４上に重ねて設置されたタッチパネル５に触れることによって、操作者が各種設定項目の設定値等を入力することが出来る。
【００２２】
また、上部フレーム８は、図２に示すように排紙ローラ対１４の近傍に設けられた回動軸２３を支点として下部フレーム９に回動自在に支持されている。原稿Ｐが搬送路１０上で紙詰まりを起こしたり、画像読取部１５，１６のコンタクトガラスやフィードローラ１１、リタードローラ１２、搬送ローラ対１３等が汚れることがある。このような場合には、上部フレーム８を回動させて原稿搬送路１０を開くことにより、紙詰まりの処理或いはコンタクトガラスや各種ローラの清掃を容易に行うことが出来る。
【００２３】
図３は、本実施の形態に係る画像読取装置の回路構成を示すブロック図である。
【００２４】
図３において、スキャナ制御回路基板１８は、主として原稿の搬送や画像の読取タイミングを制御し、読取信号の信号処理を行う回路基板である。スキャナ制御回路基板１８は、各画像読取部１５，１６の画像読取センサ（不図示）に駆動パルス及び制御信号を入力する。また、原稿検知センサ２４の出力信号を受けてタイミングを取って、給紙モータ２５及び搬送モータ２６を駆動するとともに、画像読取部１５，１６を制御する。マザーボード１９は、メインのＣＰＵを備え、ＰＣと同等の機能を有している。
【００２５】
表示／操作部２７は、タッチパネル５と、液晶表示装置（ＬＣＤ）４と、液晶表示装置４内のバックライトを点灯させるためのインバータ回路基板２８とで構成される。中継基板２９は、表示／操作部２７とマザーボード１９との間を中継している。
【００２６】
画像読取部１５，１６内の各画像読取センサを駆動するための高周波のパルス信号、及び読取られた画像データを高速に処理するよう高い周波数に設定されたＣＰＵのクロック等によって、スキャナ制御回路基板１８及びマザーボード１９から放射ノイズが発生するため、これを規制値以下に抑えるための対策が必要である。
【００２７】
図４は、液晶表示装置４の構成を示す分解斜視図である。
【００２８】
同図に示すように、液晶表示装置４は、ランプ、リフレクター、導光板等の照明部材を備えたバックライト４１と、バックライト４１の光を均一な照明光とする光学シート４２と、バックライト４１及び光学シート４２を保持、固定する樹脂シャーシ４３と、下側の筐体である板金シールド部材４４と、液晶パネル４５を保持、固定する上側の筐体である板金シールド部材４６と、液晶パネル４５を駆動するドライバーＩＣや電子部品を実装した不図示の回路基板とを主な構成要素としている。
【００２９】
液晶表示装置４の筐体は、導電性部材から成る板金シールド部材４４，４６で構成されているので、この筐体の少なくとも一点を装置本体１のアースに電気的に接続すれば、液晶表示装置４自体をスキャナ制御回路基板１８及びマザーボード１９から発生する放射ノイズを遮蔽するシールド部材として利用することが可能である。
【００３０】
本実施の形態において、液晶表示装置４は上部フレーム８に固定されているが、板金シールド部材４４，４６と板金製のメインの筐体であり装置本体１のアースともなる底板２０とが、不図示のアース線やアース部材により電気的に接続される。
【００３１】
板金シールド部材４４，４６は、放射ノイズ発生源となる回路基板の電子部品の配置面に対峙して設けることでシールド効果が高まるので、シールド部材を有する液晶表示装置４と回路基板（本実施の形態においては、スキャナ制御回路基板１８）は、略平行となる位置に配置することが効果的である。
【００３２】
一方、液晶表示装置４は、平面状の原稿搬送路１０と略平行の位置に配置することにより、画面のサイズが大きい表示装置であっても、上部フレーム８の内部に無駄な空間を生じることなく装置全体を小型化することが可能である。
【００３３】
また、液晶表示装置４の表示面を図１及び図２のように傾斜させることによって、表示面の視認性を向上させるとともに、タッチパネル５の操作性が向上し、装置の使い勝手が良好となる。
【００３４】
更に、原稿搬送路１０が液晶表示装置４の表示面と略平行に設けられ且つ傾斜しているので、原稿Ｐのセットや取出しが容易であり、また読取った原稿の画像を表示する場合も、原稿と照合して確認することが容易である。
【００３５】
また、液晶表示装置４は、読取可能な原稿の最大横幅以上の表示幅を有し、画像読取部にて読取られた画像を等倍で両脇が切れることなく表示可能な大画面の表示装置とすることが好適である。このような場合は、原稿セット時に画面上のタッチパネルにより、画像の読取範囲等の指定や設定が容易に出来るという効果がある。例えば、原稿に形成された画像の両脇に広い余白がある場合、タッチパネルの上に重ねた原稿と照らし合わせながら両脇の余白部分を読取らないように、有効読取幅をタッチパネルで設定することができる。
【００３６】
図５は、本発明の第２の実施形態に係る画像読取装置の概略構成を示す縦断面図である。
【００３７】
本実施の形態では、液晶表示装置４の背面に該液晶表示装置４の筐体を固定する板金部材５０が設けられている。また、装置本体１の駆動制御用のスキャナ制御回路基板１８を、上部フレーム８側に配置するとともに板金部材５０に液晶表示装置４に面していない側から固定することにより、液晶表示装置４及びスキャナ制御回路基板１８と原稿搬送路１０とを略平行の位置に配置したものである。
【００３８】
更に、下部フレーム９内のマザーボード１９を原稿搬送路１０と略平行の位置に配置したものである。マザーボード１９はスキャナ制御回路基板１８と中継基板２９を介してスキャナ全体を制御する。
【００３９】
板金部材５０は、導電性部材から成るが、液晶表示装置４とスキャナ制御回路基板１８の固定部材としての機能も兼用している。
【００４０】
本実施形態の構成によれば、放射ノイズの発生源となる駆動制御用のスキャナ制御回路基板１８とマザーボード１９に対して、板金部材５０によるシールド効果が高まり、放射ノイズをより低減することが可能である。また、板金部材５０のサイズを液晶表示装置４の画面サイズや液晶表示装置の筐体である板金シールド部材のサイズに関わらず、ノイズ発生源となる基板のサイズに応じた大きさとすることが出来るので、より安定的なシールド効果を得ることが可能となる。
【００４１】
また、スキャナ制御回路基板１８は、少なくとも板金部材５０に、またマザーボード１９は少なくとも本体のメインシャーシであり、装置本体１のアースともなる底板２０にそれぞれ電気的に接続されている。また、板金部材５０は底板２０に電気的に接地されている。
【００４２】
図６は、本発明の第３の実施形態に係る画像読取装置の概略構成を示す縦断面図である。
【００４３】
本実施の形態では、原稿搬送路１０の上部と下部に略平行に設けられた画像読取部１５及び画像読取部１６の各背面の隣接した位置に、センサ基板３０，３１が原稿搬送路１０と略平行に配置されている。センサ基板３０，３１は、各画像読取部１５，１６の画像読取センサに対して駆動パルス及び制御信号を入力し、また各画像読取センサからの読取信号を処理するための基板である。
【００４４】
上記第１及び第２の実施形態においては、画像読取部１５，１６が原稿Ｐの表裏面をそれぞれ読取って出力した読取信号に対して、スキャナ制御回路基板１８の画像処理部でＡＤ変換等の処理が行われていた。一方、本実施の形態では、図７に示すように、読取信号はセンサ基板３０，３１でＡＤ変換及びシェーディング補正がされた後に、デジタル信号としてスキャナ制御回路基板１８に送られる。
【００４５】
また、本実施の形態では、センサ基板３０，３１を画像読取部１５，１６に隣接した位置に配置することにより、画像読取部１５，１６からのアナログ信号に加わる外来ノイズの低減を意図したものである。
【００４６】
一方、画像読取装置の高性能化（高解像度化、読取高速化）により、センサ基板３０，３１からは、放射ノイズが発生しやすく、装置内の主要な放射ノイズ発生源となっている。このため、上記第１及び第２の実施形態と同様に、シールド部材となる液晶表示装置４又は板金部材５０をセンサ基板３０，３１と略平行の位置に配置することにより、センサ基板３０，３１から発生する放射ノイズを効率良く低減することが可能となる。
【００４７】
また、センサ基板３０，３１を画像読取部１５，１６に隣接した位置に配置したため、両者をつなぐ配線を短くすることができ、配線から発生する放射ノイズも低減することが可能となる。
【００４８】
また、本発明の実施形態では、表示装置として、いずれも液晶表示装置を搭載したが、この他に例えば、有機ＥＬディスプレイやプラズマディスプレイ等の表示装置を使用することも可能である。
【００４９】
本実施の形態では、画像読取部として、いずれも密着型イメージセンサ（ＣＩＳ）を搭載したが、これに限らず、図８に示すような縮小光学系を用いたＣＣＤセンサを搭載した画像読取装置に本発明を適用可能であることは云うまでもない。
【００５０】
図８は、本発明の第４の実施形態に係る画像読取装置の概略構成を示す縦断面図である。
【００５１】
図８において、第４の実施形態に係る画像読取装置は、画像読取部にＣＣＤセンサが搭載されており、３２，３３は反射ミラー、３４，３５はレンズ、３６，３７はＣＣＤセンサである。
【００５２】
各画像読取部において、原稿Ｐの表裏面の画像は、それぞれミラー３２，３３及びレンズ３４，３５を介して、ＣＣＤセンサ３６，３７により読取られる。その他の構成は、図２と同様であるのでその説明を省略する。
【００５３】
また、上記第３の実施形態で述べたように、ＣＣＤセンサ３６，３７を駆動、制御するセンサ基板を当該ＣＣＤセンサ３６，３７の近傍に配置する場合も同様の構成となる。
【００５４】
上記各実施の形態では、画像読取部は２つとしたが１つであってもよい。なお、上記各実施の形態のように、画像読取部が２つある場合には放射ノイズの抑制がより難しくなるので、本発明の適用がより好適である。
【００５５】
また、ＰＣに相当する機能を持つマザーボードを内蔵して、ＰＣに接続することなく使用可能なスキャナについて説明したが、これらに限定はされない。マザーボードを内蔵せず、読取った画像を外部に接続したＰＣ等のホストコンピュータに転送する機能を有するスキャナであっても、本発明を適用可能である。
【００５６】
また、マザーボードとスキャナ制御回路基板を一体化した回路基板を備えたスキャナであってもよい。
【符号の説明】
【００５７】
１  画像読取装置
４  液晶表示装置
５  タッチパネル
１０  原稿搬送路
１５  画像読取部
１６  画像読取部
１８  スキャナ制御回路基板
１９  マザーボード
５０  板金部材
３０，３１  センサ基板
【図１】
2011182473.tif 000003
【図２】
2011182473.tif 000004
【図３】
2011182473.tif 000005
【図４】
2011182473.tif 000006
【図５】
2011182473.tif 000007
【図６】
2011182473.tif 000008
【図７】
2011182473.tif 000009
【図８】
2011182473.tif 000010
【図９】
2011182473.tif 000011
【図１０】
2011182473.tif 000012